(57)【要約】【課題】防犯機能を十分に発揮させることができ、しかも、既存の引き戸に対しても、簡単な改造によって付加して堅固な施錠を実現することができる引き戸の施錠構造を提供する。【解決手段】閉じた状態で相互に重複する重複部分を有する内側戸２０と外側戸３０とで構成された引き戸１０の錠構造（補助錠４０）であって、前記内側戸２０の前記重複部分に貫設された貫通孔２２と、前記外側戸３０の前記重複部分に、内側戸２０と外側戸３０とを閉じた状態で前記貫通孔２２に連通するように穿設された非貫通の止り穴３２と、前記貫通孔２２及び前記止り穴３２に挿通されて内側戸２０と外側戸３０とを閉じた状態で固定するロックピン５０と、前記内側戸２０に取着され、前記ロックピン５０をスライド自在に保持する保持具６０とを備える。【選択図】図２
2005273171.tif 000002
【特許請求の範囲】
【請求項１】
閉じた状態で相互に重複する重複部分を有する内側戸と外側戸とで構成された引き戸の錠構造であって、
前記内側戸の前記重複部分に貫設された貫通孔と、
前記外側戸の前記重複部分に、内側戸と外側戸とを閉じた状態で前記貫通孔に連通するように穿設された非貫通の止り穴と、
前記貫通孔及び前記止り穴に挿通されて内側戸と外側戸とを閉じた状態で固定するロックピンと、
前記内側戸に取着され、前記ロックピンをスライド自在に保持する保持具と
を備えることを特徴とする引き戸の錠構造。
【請求項２】
前記保持具は、前記ロックピンを内側戸の貫通孔から抜脱不能に保持するものであることを特徴とする請求項１に記載の引き戸の錠構造。
【請求項３】
前記保持具は、切欠き部を有し、該切欠き部にて前記ロックピンをスライド自在に保持するものであることを特徴とする請求項１または請求項２に記載の引き戸の錠構造。
【請求項４】
前記保持具は、内側戸に、手によって引っ張ることで取り外し可能に取着されていることを特徴とする請求項１から請求項３までのいずれか一つに記載の引き戸の錠構造。
【発明の詳細な説明】
【技術分野】
【０００１】
本発明は、引き戸の錠構造に関するものであり、詳しくは、閉じた状態で相互に重複する重複部位を有する内側戸と外側戸とで構成された引き戸において、内側戸と外側戸とを閉じた状態で施錠する引き戸の錠構造に関するものである。
【背景技術】
【０００２】
室内側の内側戸と屋外側の外側戸とを有する窓や玄関戸等の引き戸においては、防犯のために、内側戸と外側戸とを閉じた状態で固定する公知の種々の錠構造が採用されている。この錠構造としては、アルミサッシ製の引き戸において採用されている「内側戸に回動自在に支持された回動片を外側戸のフックに係止するもの」（以下、「フック式錠」という）、玄関戸において採用されている「外側戸の屋外側に露呈された鍵穴を有し、この鍵穴に鍵を差し込んで開錠操作されるもの」（以下、「鍵穴式錠」という）等を代表的に例示することができる。
【０００３】
また、近年の防犯意識の高まりにより、引き戸にそもそも具備されている錠構造（以下、主錠という）だけでなく、この錠構造の他に、別途の錠構造（以下、「補助錠」という）を設けて、引き戸を二重に施錠することも一般的になされている。
【０００４】
上記背景技術は、一般的な事項であり、本願出願人は、出願時において、この背景技術が記載された文献を特に知見していない。
【発明の開示】
【発明が解決しようとする課題】
【０００５】
しかしながら、上述のフック式錠は、ガラス戸に採用されていると、ガラス越しに所在を確認することができるものであるため、ガラスを部分的に破壊して手を差し入れて操作することで、屋外から開錠することが容易いものである。また、鍵穴式錠は、屋外側に鍵穴が露呈していることから、当然、屋外から所在を確認することができるものであり、ドライバー等の工具を鍵穴に突っ込んで錠構造自体を破壊することにより、或いは、針金や特殊な道具を鍵穴に差し入れて操作する所謂「ピッキング」により、屋外から開錠することが容易いものである。このように、従来の錠構造は、その所在が外部から確認し易いものであるため、屋外から開錠することが容易く、防犯機能を十分に発揮することができないものであった。
【０００６】
ところで、補助錠を採用し、主錠とで引き戸を二重に施錠することで、防犯機能を向上させることはできる。しかしながら、この補助錠についても、所在が外部から確認し易いものであると、主錠と同様に屋外から開錠することが容易く、折角向上させた防犯機能を十分に発揮することができなくなってしまう。また、使用者が任意に補助錠を設けようとする場合、補助錠が、あくまでも補助的な施錠に過ぎず、軟弱な施錠しか実現できないものであれば、既存の引き戸に対しての付加が容易であるが、補助錠によって堅固な施錠を実現できるようにしようとすると、既存の引き戸に大掛かりな改造を余儀なくされる。
【０００７】
本発明は、上記実状を鑑みてなされたものであり、防犯機能を十分に発揮させることができ、しかも、既存の引き戸に対しても、簡単な改造によって付加して堅固な施錠を実現することができる引き戸の施錠構造を提供することを課題とする。
【課題を解決するための手段】
【０００８】
上記課題を解決するための主要な手段は、
「閉じた状態で相互に重複する重複部分を有する内側戸と外側戸とで構成された引き戸の錠構造であって、
前記内側戸の前記重複部分に貫設された貫通孔と、
前記外側戸の前記重複部分に、内側戸と外側戸とを閉じた状態で前記貫通孔に連通するように穿設された非貫通の止り穴と、
前記貫通孔及び前記止り穴に挿通されて内側戸と外側戸とを閉じた状態で固定するロックピンと、
前記内側戸に取着され、前記ロックピンをスライド自在に保持する保持具と
を備えることを特徴とする引き戸の錠構造」
である。
【０００９】
上記構成の錠構造は、内側戸の貫通孔と外側戸の止り穴とにロックピンを挿通させることで引き戸を施錠するものであるが、外側戸の止り穴が非貫通であるため、外側戸において、屋外側に露呈しない。よって、この錠構造は、その所在が屋外側から確認し難く、屋外から開錠することが困難なものとなる。従って、この錠構造によれば、防犯機能を十分に発揮させることができる。
【００１０】
また、ロックピンによって内側戸と外側戸とを閉じた状態で固定することで引き戸を施錠するため、堅固な施錠を実現できるのであるが、既存の引き戸に対してこの錠構造を設ける場合には、ドリル等の工具によって、内側戸に貫通孔を設け、外側戸に止り穴を設けて、内側戸に保持具を取着すればよく、引き戸自体の構造について、大掛かりな変更を要しない。従って、この錠構造によれば、既存の引き戸に対して、簡単な改造による付加によって堅固な施錠を実現することができる。
【００１１】
ところで、内側戸が中空状や薄板状の部材を用いて形成されており、このような部材に貫通孔を設ける場合、貫通孔内にてロックピンが遊動し易く、ロックピンを安定してスライドさせることができない。よって、引き戸を施錠する際に、外側戸の止り穴にロックピンを円滑に挿通することが困難となってしまう。
【００１２】
これに対して、上記構成の錠構造では、ロックピンが、内側戸の貫通孔だけでなく、保持具によってスライド自在に保持されているため、このロックピンは、内側戸の貫通孔内にて安定してスライドする。従って、引き戸を施錠するに際して、外側戸の止り穴にロックピンを円滑に挿通することができ、引き戸の施錠操作を良好に行うことができる。
【００１３】
上述した手段において、
「前記保持具は、前記ロックピンを内側戸の貫通孔から抜脱不能に保持するものであることを特徴とする引き戸の錠構造」
としてもよい。
【００１４】
上記構成の錠構造では、ロックピンが内側戸の貫通孔から完全に抜脱することがないため、開錠状態の引き戸からロックピンが不用意に引き抜かれて紛失する虞がない。よって、使用勝手を向上させることができる。
【００１５】
上述した各手段において
「前記保持具は、切欠き部を有し、該切欠き部にて前記ロックピンをスライド自在に保持するものであることを特徴とする引き戸の錠構造」
としてもよい。
【００１６】
上記構成の錠構造では、ロックピンが保持具の切欠き部にて保持されるため、ロックピンは、保持具の切欠き部の開放部分から取り外し可能となる。換言すると、保持具は、ロックピンから取り外し可能となる。よって、この鍵構造を引き戸に設ける場合には、ロックピンと保持具とを取り外しておき、内側戸の貫通孔にロックピンを挿通させた上で、このロックピンが貫通孔内にて良好にスライドするように保持できる位置に保持具を内側戸に対して位置決めして、取着することができる。従って、この錠構造によれば、保持具を正確に位置合わせして内側戸に取着する作業を良好に行うことができる。
【００１７】
上述した各手段において
「前記保持具は、内側戸に、手によって引っ張ることで取り外し可能に取着されていることを特徴とする引き戸の錠構造」
としてもよい。
【００１８】
ここで、保持具を手によって引っ張ることで取り外し可能に取着するためには、特に限定するものではないが、両面に粘着剤が塗布された両面粘着テープや、接着剤によって、内側戸に保持具を取着すればよい。また、螺合する部材に対して手の力で容易に抜脱することができる小ネジ等によって、内側戸に保持具を取着してもよい。
【００１９】
地震等の災害時や犯罪者の侵入時等の緊急時において、室内の者が屋外へ脱出しようとする場合には、引き戸を早急に開錠して開けなければならない。ここで、上記構成の錠構造では、ロックピンを外側戸の止り穴から抜脱するだけで、換言すれば、ロックピンを摘んで引っ張るだけで引き戸を開錠させることができ、緊急時であっても、開錠操作を良好に行うことができるのであるが、緊急時には、引き戸の開錠操作をしようとする者の気が動転しており、「ロックピンを摘んで引っ張る」といった単純な操作さえも、円滑に行うことができない場合がある。特に、この錠構造を、補助錠として用いると、主錠の開錠操作と共に補助錠の開錠操作をも行わなければならず、引き戸全体の開錠操作が、より一層、円滑に行い難くなる。
【００２０】
これに対して、上記構成の錠構造では、保持具が内側戸に、手によって引っ張ることで取り外し可能に取着されているため、引き戸の開錠操作をしようとする者が、気が動転していてロックピンを摘んで引っ張ることができなくても、ロックピンを保持する保持具自体を掴んで引っ張れば、引き戸を施錠している状態の錠構造を破壊することができ、引き戸を開錠させることができる。従って、この錠構造によれば、緊急時においても開錠操作を円滑に行うことができ、「万が一の危惧にも十分に対応することができる」といった今までの錠構造にはない優位な利点を得ることができる。
【発明の効果】
【００２１】
上述の通り、本発明によれば、防犯機能を十分に発揮させることができ、しかも、既存の引き戸に対しても、簡単な改造によって付加して堅固な施錠を実現することができる引き戸の施錠構造を提供することができる。
【発明を実施するための最良の形態】
【００２２】
本発明に係る錠構造の実施形態としての一例を、以下、図面に基いて詳細に説明する。
【００２３】
図１に、本発明に係る錠構造を設けた引き戸１０の一例を示す。なお、本例では、引き戸１０として、室内と屋外との間を仕切る壁面に設けられ、下端のレールが室内の床面７０と略同一高さの掃き出し窓を採用している。また、本例では、引き戸１０がそもそも備える主錠１２とは別途の補助錠４０として、本発明に係る錠構造が適用されている。
【００２４】
引き戸１０は、上下にレールを有する戸枠１１と、この戸枠１１内に横方向にスライド自在に装着されると共に室内側に配設された内側戸２０と、戸枠１１内に横方向にスライド自在に装着されると共に屋外側に配設された外側戸３０とを備えており、内側戸２０と外側３０とは、閉じた状態で引き戸１０の中央部分にて重複している。
【００２５】
内側戸２０と外側戸３０との重複部分には、主錠１２が設けられている。ここで、主錠１２は、外側戸３０に設けられたフック（図示省略）と、内側戸２０に回動自在に設けられ、外側戸３０のフックを係止する回動片（図示省略）とを有する公知のものである。また、内側戸２０と外側戸３０との重複部分には、主錠１２よりも上側の部分、すなわち引き戸１０の上部に、補助錠４０が設けられている。この補助錠４０は、上述した通り、本発明に係る錠構造を適用して構成されたものである。このように、引き戸１０の上部に補助錠４０を設けることで、補助錠４０を、室内側の居住空間に対して邪魔になり難くすることができる。また、屋外からは、補助錠４０の所在を、より一層、確認し難くすることができ、補助錠４０を採用することで得ることができる防犯効果を、より一層、向上させることができる。
【００２６】
次に、補助錠４０の詳細を、図２に基いて説明する。なお、本例では、引き戸１０として、アルミニウム製の引き抜き材により中空状に形成された桟２１，３１と、この桟２１，３１にゴムパッキン（図示省略）を介して取り付けられたガラス板１３とを有するアルミサッシを採用しており、内側戸２０の桟２１と外側戸３０の桟３１との重複部分に補助錠４０が設けられている。
【００２７】
内側戸２０の桟２１には、室内側から屋外側へと貫通する貫通孔２２が設けられている。一方、外側戸３０の桟３１には、室内側には開口するものの屋外側には開口しない止り穴３２が設けられている。ここで、この止り穴３２は、外側戸３０の桟３１全体から観ると、屋外側には非貫通のものとなっており、屋外からは、外側戸３０の止り穴３２の所在を確認することができず、補助錠４０自体の所在が確認し難いものとなっている。また、止り穴３２は、内側戸２０と外側戸３０とを閉じた状態で、内側戸２０の貫通孔２２に連通するものである。なお、上記貫通孔２２と上記止り穴３２は、ドリル等の工具によって、簡便に穿設することができるものであり、既存の引き戸１０にも容易に形成することができるものである。
【００２８】
内側戸２０の貫通孔２２には、ロックピン５０がスライド自在に挿通されている。内側戸２０と外側戸３０とを閉じた状態で、このロックピン５０を外側戸３０の止り穴３２にも挿通させることで、内側戸２０と外側戸３０とを閉じた状態で固定することができる。すなわち、引き戸１０を施錠することができる。また、内側戸２０には、貫通孔２２の下方に、ロックピン５０をスライド自在に保持する保持具６０が取着されている。
【００２９】
ロックピン５０は、内側戸２０の貫通孔２２及び外側戸３０の止り穴３２に挿通される大径部５１と、内側戸２０の室内側に突出する小径部５２と、この小径部５２の端部に設けられた摘み部５３とを備えるものである。ここで、摘み部５３は、小径部５２よりも大径の薄板の円盤状に形成されているが、摘み易くするために、この摘み部５３を、球形状や円柱状等、他の形状に形成してもよい。また、摘み部５３は、摘んで引っ張るものに限らず、取っ手や棒等を有して、この取っ手や棒等を掴んで引っ張るものであってもよい。さらに、摘み部５３は、室内に露呈されるものであるため、この摘み部５３の表面に、適宜の装飾を施したり、適宜の装飾品を取着してもよい。
【００３０】
一方、保持具６０は、内側戸２０に取着される取着部６１と、上記ロックピン５０をスライド自在に保持する保持部６２とを備え、全体が、鋼板のプレス成形、或いは、樹脂による一体成形により形成されている。また、保持具６０の保持部６２には、ロックピン５０の小径部５２を収容して保持する縦方向の切欠き部６３が設けられている。このように、切欠き部６３によってロックピン５０を保持させることで、ロックピン５０を内側戸２０の貫通孔２２に挿通させた上で、ロックピン５０が貫通孔２２内にて良好にスライドするように保持できる位置に保持具６０を内側戸２０に対して正確に位置決めして、保持具６０を内側戸２０に取着することができる。
【００３１】
補助錠４０によって引き戸１０を施錠する場合には、ロックピン５０を押して前進させて、図３に示すように、内側戸２０の貫通孔２２と外側戸３０の止り穴３２との双方にロックピン５０を挿通させる。ここで、ロックピン５０を押すと、保持具６０の保持部６２にロックピン５０の摘み部５３が当接し、ロックピン５０のそれ以上の前進が規制される。
【００３２】
一方、引き戸１０を開錠する場合には、ロックピン５０の摘み部５３を手で摘んで引っ張ると（図３の矢印Ａ）、ロックピン５０全体が後退して（図３における２点鎖線参照）、外側戸３０の止り穴３２に挿通されていたロックピン５０の大径部５１の先端が止り穴３２から抜脱される（図３の矢印Ｂ）。これにより、引き戸１０が開錠される。ここで、ロックピン５０を、外側戸３０の止り穴３２から抜脱した状態からさらに引っ張ると、ロックピン５０の大径部５１の端部が保持具６０の保持部６２に当接し、ロックピン５０のそれ以上の後退が規制される。これにより、内側戸２０の貫通孔２２からのロックピン５０の抜けが防止され、引き戸１０を開錠した状態で、ロックピン５０が貫通孔２２から不用意に抜け落ちて紛失することが防止される。
【００３３】
ところで、本例では、保持具６０が、手によって引っ張ることで、内側戸２０から容易に取り外すことができるように、両面粘着テープを介して内側戸２０に取着されている。これにより、緊急時等において引き戸１０を開錠させたい場合には、ロックピン５０を保持具６０ごと手で掴んで引っ張ることで、ロックピン５０を保持具６０ごと内側戸２０から取り外すことができ、引き戸１０を速やかに開錠することができる。
【００３４】
以上、本発明に係る錠構造の一例を説明したが、本発明に係る錠構造はこれに限らず、本発明の要旨を逸脱しない範囲で、適宜の変更が可能である。
【００３５】
例えば、引き戸としては、掃き出し窓に限らず、腰高窓や玄関戸等であってもよく、また、アルミサッシ製に限らず、木製や、その他の材質により形成されたものであってもよい。さらに、引き戸がそもそも備える主錠とは別途の補助錠として、本発明に係る錠構造を適用するに限らず、引き戸がそもそも備える主錠に適用してもよい。
【図面の簡単な説明】
【００３６】
【図１】引き戸の一例を示す室内側から観た正面図である。
【図２】本発明に係る錠構造の一例を示す分解斜視図である。
【図３】図２に示した錠構造の断面側面図である。
【符号の説明】
【００３７】
１０  引き戸
１１  戸枠
１２  主錠
１３  ガラス板
２０  内側戸
２１  桟
２２  貫通孔
３０  外側戸
３１  桟
３２  止り穴
４０  補助錠
５０  ロックピン
５１  大径部
５２  小径部
５３  摘み部
６０  保持具
６１  取着部
６２  保持部
６３  切欠き部
７０  床面
【図１】
2005273171.tif 000003
【図２】
2005273171.tif 000004
【図３】
2005273171.tif 000005